(57)【要約】【課題】複数の防空システムを統合し、所属／管轄／システム等の枠を超えて脅威目標に対する対応を強化した防空システムを提供すること。【解決手段】様々な各種空中浮遊センサ、各種防空システムの地上設置センサ等からの目標情報を基にして、ミサイル搭載型ＵＡＶ、地上に配備された各種ＳＡＭシステム（携帯型ＳＡＭシステム等も含む）等の対空火器に対して目標の割当、迎撃の指示を行い、侵攻して来るＦＢやＣＭを対処するようなネットワークＦＣＳを活用した防空システムを構築する。【選択図】      図１
2007078236.tif 000002
【特許請求の範囲】
【請求項１】
目標情報を取得するセンサと、
脅威に対する防空処置を行う単一または複数の防空単位と、
前記センサと前記防空単位との通信環境を形成する通信手段と、
前記センサにより取得された目標情報を前記通信手段を介して収集する手段と、
前記収集した目標情報を統合して前記防空単位にわたり使用可能な統合目標情報を生成する手段と、
前記統合目標情報に基づいて前記防空単位への目標割り当てを行う手段と、
前記割り当てられた目標を前記防空単位に前記通信手段を介して通知する手段とを具備することを特徴とする防空システム。
【請求項２】
前記センサは空中に任意の期間滞空する空中浮遊センサを含むことを特徴とする請求項１に記載の防空システム。
【請求項３】
前記通信手段は高速データリンクであることを特徴とする請求項１に記載の防空システム。
【発明の詳細な説明】
【技術分野】
【０００１】
この発明は防空システムに関する。
【背景技術】
【０００２】
防空システムとして例えば下記特許文献１、２に開示されるシステムが知られている。一般に防空システムは、侵攻する目標を検知するセンサを備える。しかしながらセンサで取得された目標情報は、特定の防空システムに閉じた形で利用されるのが一般的である。すなわち既存の防空システムは、システム毎のセンサから得られる目標情報を基に脅威目標に対する防空を行っている。このため防空システムによっては自らのセンサで得た目標情報だけでは不十分で、脅威目標を要撃するまでの準備時間や要撃時間が無くなり、対処できないような状況も生じる。このことは国防上の弱点、盲点となり、侵攻側にとっては格好の侵攻ポイントとなることから何らかの対処が望まれる。
【特許文献１】特開２００５−２４１４２号公報
【特許文献２】特開２００３−１３０５９４号公報
【発明の開示】
【発明が解決しようとする課題】
【０００３】
以上述べたように既存の防空システムにおいては個々のシステム間の情報伝達が不十分であり、防衛上の盲点が生じる虞がある。  
この発明は上記事情によりなされたもので、その目的は、複数の防空システムを統合し、所属／管轄／システム等の枠を超えて脅威目標に対する対応を強化した防空システムを提供することにある。
【課題を解決するための手段】
【０００４】
上記目的を達成するためにこの発明の一態様によれば、目標情報を取得するセンサと、脅威に対する防空処置を行う単一または複数の防空単位と、前記センサと前記防空単位との通信環境を形成する通信手段と、前記センサにより取得された目標情報を前記通信手段を介して収集する手段と、前記収集した目標情報を統合して前記防空単位にわたり使用可能な統合目標情報を生成する手段と、前記統合目標情報に基づいて前記防空単位への目標割り当てを行う手段と、前記割り当てられた目標を前記防空単位に前記通信手段を介して通知する手段とを具備することを特徴とする防空システムが提供される。
【０００５】
このような手段を講じることにより、各種空中浮遊センサ、地上設置センサ等の複数センサにより取得された目標情報に基づいて統合目標情報が作成される。すなわち目標情報が融合される。これにより得られた統合目標情報は高速データリンクなどの通信手段により防空単位に送信される。また統合目標情報に基づいて防空単位への目標割り当てが行われる。これらのことから、従来よりも広域な防空システムを構築できると共に、要撃までに時間の掛かっていた目標に対してもより早く対処することが可能となる。
【発明の効果】
【０００６】
この発明によれば、複数の防空システムを統合し、所属／管轄／システム等の枠を超えて脅威目標に対する対応を強化した防空システムを提供することができる。
【発明を実施するための最良の形態】
【０００７】
図１はこの発明に係わる防空システムの実施の形態を示す概念図である。このシステムは例えば侵攻してくる巡航ミサイルや航空機に対する地域防衛を目的として形成される。このシステムは、空中浮遊センサ１と、地上設置センサ２と、対空火器３とを高速データリンク２０を介して連接し、ネットワークＦＣＳ（Fire Control System）を形成したものである。
【０００８】
このうち空中浮遊センサ１は、侵攻してくる脅威を探知・追随できるセンサを搭載した航空機、無人機４、あるいはバルーンレーダ５などを含む。これらは一般的に最前線の防衛ラインに配置（配備）され、侵攻目標を初期探知するために用いられる。地上設置センサ２は、車両にレーダシステムを搭載して構成される地上レーダ８などを含む。対空火器３はミサイル搭載型ＵＡＶ６、地上に配備された各種ＳＡＭシステム（携帯型ＳＡＭシステムなども含む）７、あるいは車両１０などを含む。
【０００９】
図１において、空中浮遊センサ１、地上設置センサ２等の各センサからの目標情報を基に統合目標情報を作成する。そしてこの統合目標情報をもとに、ネットワークＦＣＳに連接したそれぞれの対空火器３のうち最適な火器に対して目標割当を行い、脅威目標への対処を行うようにする。  
また図１のネットワークＦＣＳは専用のレーザやセンサ、あるいはランチャーを兼ね備えることもできる。さらにネットワークＦＣＳは、空中浮遊センサ、地上設置センサ２、または衛星軌道上のセンサ装置などから目標情報を取得する場合もある。
【００１０】
図２は図１の防空システムの詳細を示す概念図である。地上においては、陸上指揮統制システム１１に属するネットワークＦＣＳ１４，１６、ＳＡＭシステム１、ＳＡＭシステム２のうち、ネットワークＦＣＳ１４，１６、ＵＡＶ操縦装置１２およびバルーンレーダ処理装置１３を高速データリンク２０を介して結び、互いの通信環境を構築する。ＵＡＶ（Unmanned Aerial Vehicle）６は小型ミサイルを搭載し、侵攻してくるＦＢ（Fighter Bomber）やＣＭ（Cruse Missile）への対処を行う。
【００１１】
ＵＡＶ操縦装置１２はリモートコントロールによりＵＡＶ６を操縦し、侵攻してくるＦＢ、ＣＭ等の脅威目標をミサイルにより迎撃する。特にネットワークＦＣＳ１４からミサイルの誘導を行う場合、目標、位置等の情報の伝達に高速データリンク２０が用いられる。バルーンレーダ処理装置１３は、バルーンレーダアンテナ１５からデータリンクを介してＭＳＬに指示を与える。
【００１２】
このようなシステムを構築することにより、各防空単位がそれぞれ個別に保有する専用のセンサの情報を一元化して、独立的な防空システムを融合して最適な防空火器に目標を割り当てて、ＦＢやＣＭ等の侵攻してくる脅威目標への対処を行うことができる。例えば、地上に配備された各種ＳＡＭシステム等の防空システムで使用される各種専用センサからの目標情報を基にして脅威目標に対処することができる。
【００１３】
また、各種空中センサ、空中浮遊センサ、他防空システムにおける各種専用センサからの目標情報を基にして、目標情報、目標の割当等を、地上に配備される各種ＳＡＭシステム（携帯型ＳＡＭシステムなども含む）等に行い、それらの防空システムがその目標割当指示（情報）に従って目標を迎撃することもできる。
【００１４】
また、各種対空火器のシステムとの連接機能、ミサイルを搭載したＵＡＶを誘導できるような機能等は高速データリンク２０等を介して実現する。よって、各種センサからの目標情報を基に、連接している対空火器に対して、最適な火力割当、目標割当等の指揮統制をネットワーク型ＦＣＳにて実施することにより、所属／管轄の異なるセンサシステムや対空火器を利用した複合的な防空システムを構築することができる。
【００１５】
このようなシステムにより、限られた目標情報しか得ることができないような従来の防空システムよりも、より速く、より効率的に、より正確に、対応／対処できるような防空システムを構築することが可能となる。さらに、この様なシステムを構築することで、国内の防空システムにおける脆弱な部分を減少させることが可能となる。
【００１６】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除たり、全構成要素にさらに幾つかの構成要素を追加してもよい。
【図面の簡単な説明】
【００１７】
【図１】図１はこの発明に係わる防空システムの実施の形態を示す概念図。
【図２】図１の防空システムの詳細を示す概念図。
【符号の説明】
【００１８】
１…空中浮遊センサ、２…地上設置センサ２、３…対空火器、４…無人機、５…バルーンレーダ、６…ミサイル搭載型ＵＡＶ、７…ＳＡＭシステム、１０…車両、１１…陸上指揮統制システム、１２…ＵＡＶ操縦装置、１３…バルーンレーダ処理装置、１４，１６…ネットワークＦＣＳ、１５…バルーンレーダアンテナ、２０…高速データリンク
【図１】
2007078236.tif 000003
【図２】
2007078236.tif 000004